(57)【要約】【課題】簡単に開閉できる段ボール箱を提供する。【解決手段】一対の側面板の上下縁に繋げて設けた外フラップと、一対の端面板の上下縁に繋げて設けた内フラップとを重ね合わせて粘着テープにて閉止する段ボール箱において、外フラップの端部に所定間隔の切り込みを設けることにより開封片を形成し、開封片の端縁と内フラップが重なり合う段差部を利用し、開封片を外フラップより切り離すと、対向する外フラップの端部に粘着テープが残り、対向する内フラップ間の取出口から中身を取り出せ、外フラップを内側に押さえ込むことにより、外フラップの上縁部が対向する上フラップの上縁部に掛かることで再封緘できるようにした。【選択図】図２
2006051958.tif 000002
【特許請求の範囲】
【請求項１】
一対の側面板の上下縁に繋げて設けた外フラップと、一対の端面板の上下縁に繋げて設けた内フラップとを重ね合わせて粘着テープにて閉止する段ボール箱において、前記外フラップの端部に所定間隔の切り込みを設けることにより開封片を形成し、前記開封片の端縁と前記内フラップが重なり合う段差部を利用し、前記開封片を前記外フラップより切り離すと、対向する外フラップの端部に前記粘着テープが残るようにしたことを特徴とする段ボール箱。
【請求項２】
前記開封片の端縁に切込穴を形成したことを特徴とする請求項１に記載の段ボール箱。
【発明の詳細な説明】
【技術分野】
【０００１】
この発明は、段ボール箱の蓋を開閉する構造に関するものである。
【背景技術】
【０００２】
従来、輸送用で使用される段ボール箱３０（０２０１型）は、図１１に示すように、一対の側面板３１と一対の端面板３２の上下縁にそれぞれフラップ３３を設け、前記フラップ３３をそれぞれ重ね合わせ、中央に粘着テープ４０を貼り付け閉止している。前記のような段ボール箱３０を開封する方法として、図１２に示すように粘着テープ４０の中央をカッターなどで切り込み開封している。また、段ボール箱の端面又は、蓋面中央に切り込みを設け、開封時に前記切り込みを破り、粘着テープの端部を持ちやすくし、剥がしやすくしている。（例えば、特許文献１参照。）。
【０００３】
そして、上記のように開封した段ボール箱を再封緘する際には、図１３に示すように四枚の各フラップ３３を交互に重ね合わせ、一番目に折り曲げたフラップ３３を斜めに折り曲げ、四番目に折り曲げるフラップ３３を引っ掛け閉止している。
【特許文献１】特開２００４−１７５４５１号公報
【発明の開示】
【発明が解決しようとする課題】
【０００４】
しかしながら上記のようなカッターなどで粘着テープを切り込み開封する方法では中身の商品に傷を付ける恐れがある。
【０００５】
また、段ボールの端面に切り込みを設け、粘着テープを剥がしやすくする方法では、端面に切り込みを設けるために段ボール箱の耐圧強度が低下したり、輸送途中に切り込みが破れ、段ボール箱の中に虫などの異物が入る恐れがある。また、段ボール箱を開封する作業者が、先に段ボール箱の蓋面を見るために端面の切り込みに気づかずにカッターなどで粘着テープを切り込み開封している。
【０００６】
また、前記の問題点を解決するために、段ボール蓋面中央に切れ込みを設ければ、段ボール箱の耐圧強度の低下を防ぐことができるが、輸送途中に切れ込みが破れ、対向する内フラップの間から虫などの異物が入る恐れがある。
【０００７】
上記のように端面又は、蓋面中央に切り込みを設けた場合、粘着テープを貼る際に、切り込み部に粘着テープの端部を貼り付ける必要があるために、粘着テープを貼る位置に気をつけなければならないので、手間である。
【０００８】
そして、段ボール箱の中への虫などの異物の混入を防ぐために、切れ込みを弱くしたり、切れ込みを段ボール表面だけにすれば輸送途中の破れを防ぐことができるが、段ボール表面を爪などで引っ掛ける必要があり、開封が困難である。
【０００９】
また、前記のような段ボール箱では、中身を一度に取り出さずに少量ずつ取り出し、再封緘する必要がある際には、四枚の各フラップをそれぞれ交互に重ね合わせ、フラップを斜めに折り曲げなければならないために手間である。
【００１０】
そこで、この発明は、段ボール箱内に虫などの異物が入ることを防ぎ、段ボール箱を開封する作業者が、直に開封方法に気づき、カッターなどを使わずに素早く開封でき、再封緘する際も手間なく簡単に閉止できる段ボール箱を提供する事を課題とする。
【課題を解決するための手段】
【００１１】
以上の課題を解決するために、この発明は、一対の側面板の上下縁に繋げて設けた外フラップと、一対の端面板の上下縁に繋げて設けた内フラップとを重ね合わせて粘着テープにて閉止する段ボール箱において、前記外フラップの端部に所定間隔の切り込みを設けることにより開封片を形成し、前記開封片の端縁と前記内フラップが重なり合う段差部を利用して指を掛け、前記開封片を前記外フラップより切り離すと、対向する外フラップの端部に前記粘着テープが残るようにしたのである。
【００１２】
そして、前記段ボールを全開封する場合は粘着テープが残っている部分を破り、また、再封緘する必要がある場合は、前記粘着テープが残っている部分を破らずに、対向する内フラップ間の取出口から中身を取り出し、前記開封片を設けた外フラップを内側に押さえ込むことにより、前記外フラップの上縁部が対向する外フラップの上縁部に掛かることで再封緘できるようにした。
【００１３】
また、前記開封片の端縁に切込穴を形成することで、前記開封片の端縁と前記内フラップが重なり合う段差部が長くなり、指を掛けやすくなる。
【発明の効果】
【００１４】
このような段ボール箱であれば、圧縮強度を低下することなく、開封片が外フラップの端部にあるために、粘着テープを貼る際、貼り付け位置に気をつけなくても貼ることができ、開封する際は、開封する作業者がすぐに開封箇所に気づき、簡単に開封することが可能である。
【００１５】
また、内フラップと重なり合う外フラップの端部に所定間隔の切り込みを設け開封片を形成しているのために、輸送中に切り込みが破れても虫などの異物が入ることを防ぐことができる。
【００１６】
さらに、開封する際に、指を掛ける部分を破ったり爪を引っ掛けたりする必要がなく開封片と内フラップの段差部を利用し、指を引っ掛けるだけでよいので開封が容易である。
【００１７】
また、再封緘する際、一枚の外フラップを押さえるだけで簡単に閉止することができる。
【発明を実施するための最良の形態】
【００１８】
図１は、この発明に係る段ボール箱１１の展開図であり、一対の側面板１と一対の端面板２を交互に繋げて設け、側面板１の開放側に糊代片９を繋げて設け、前記側面板１の上縁にはそれぞれ外フラップ３，４を繋げて設け、下縁には外フラップ１２、１３を繋げて設け、前記端面板２の上縁にはそれぞれ内フラップ５，６を繋げて設け、下縁にはそれぞれ内フラップ１４、１５を繋げて設け、前記外フラップ４の端部には、外フラップ４の上縁から側面板１に向かって斜めに所定間隔の切り込みを設けることで開封片７を形成している。
【００１９】
前記段ボール箱１１は図２に示すように、糊代片９を反対側の端面板２に貼り付け筒状にし、内フラップ５，６、１４、１５を連結部より内側に折り曲げ、次いで外フラップ３、４、１２、１３を連結部より内側に折り曲げ重ね合わせ、対向する外フラップ３、４と１２，１３の突合せした部分に粘着テープ１０を貼り付け閉止する。前記粘着テープ１０の端部は、端面板２側に折り曲げられ、端面板２の端縁部に貼り付いている。
【００２０】
このとき、外フラップ４の端部に開封片７を形成しているために前記開封片７の一部に粘着テープ１０が貼り付くことになる。
【００２１】
前記段ボール箱１１を開封する際は、図３に示すように開封片７の端縁と内フラップ５が重なり合う段差部を利用し、指を引っ掛け、上方向に持ち上げることにより、粘着テープ１０の端部が端面板２の上端縁に沿って、外フラップの突合せ部まで破れる。次いで、図４に示すように開封片７を外フラップ４から切り離すことにより、外フラップ３の端部に貼りついた粘着テープ１０が斜めに破れ、前記粘着テープ１０を剥がすことができる。
【００２２】
そして、上記のように開封片７を外フラップ４から切り離し、粘着テープ１０を剥がすと、図５に示すように開封片７を設けた外フラップ４は開封され、対向する外フラップ３の端部には粘着テープ１０が残り、前記粘着テープ１０の端部は端面板２の上端縁部に貼り付いたままになるために外フラップ３は開かずに閉止された状態になる。
【００２３】
上記のような段ボール箱１１にて、図５に示すように、対向する内フラップ５，６間の取出口１２より中身を取り出すことができ、図６に示すように外フラップ４を内側に押さえ込むことにより、内フラップ５，６を内側に押し込み、外フラップ４の上縁部が対向する外フラップ３の上縁部下側に入り込むことにより、図７に示すように、外フラップ４の上縁部が対向する外フラップ３の上縁部に掛かり再封緘することができる。
【００２４】
また、外フラップ３を開封する際は、図８に示すように、外フラップ３の端部に残った粘着テープ１０の端部を端面板２の上端縁に沿って破ることで外フラップ３を開封することができる。
【００２５】
なお、本発明の段ボール箱１１は前記実施形態の構成に限定されるものではない。例えば、前記実施形態では、側面板１上縁の外フラップ４にのみに開封片７を設けたが、側面板１下縁の外フラップ１２又は、１３に設けることで段ボール１１の底蓋の開封を容易にすることができ、廃棄処分しやすくなる。
【００２６】
また、開封片７は外フラップ４の上縁から側面板１に向けて斜めに所定間隔の切り込みを設けることで形成されているが、開封片７は外フラップ４の上縁から側面板１に向けて垂直に所定間隔の切り込みを設け、形成してもよい。
【００２７】
さらに、この段ボール箱１１は、図９，１０に示すように、開封片７の端縁に切込穴８を形成することで、開封片７の端縁と内フラップ５が重なり合う段差部が長くなり、指を掛けやすくなる。
【図面の簡単な説明】
【００２８】
【図１】本発明の段ボール箱の展開図である。
【図２】段ボール箱を粘着テープで閉止した状態の斜視構成図である。
【図３】段差部に指を掛けた状態の斜視構成図である。
【図４】開封片を外フラップから切り離した状態の斜視構成図である。
【図５】片側の外フラップを開封した状態の斜視構成図である。
【図６】外フラップを内側に押し込んだ状態の斜視構成図である。
【図７】段ボール箱を再封緘した状態の斜視構成図である。
【図８】残った粘着テープを剥がした状態の斜視構成図である。
【図９】開封片の端縁に切込穴を形成した展開図である。
【図１０】切込穴を形成した段差部を示す斜視構成図である。
【図１１】従来の段ボール箱（０２０１型）の斜視構成図である。
【図１２】カッターで開封する状態を示す斜視構成図である。
【図１３】従来の再封緘方法を示す斜視構成図である。
【符号の説明】
【００２９】
１  側面板
２  端面板
３、４、１２、１３  外フラップ
５，６、１４、１５  内フラップ
７  開封片
８  切込穴
９  糊代片
１０  粘着テープ
１１  段ボール箱
１２  取出口
【図１】
2006051958.tif 000003
【図２】
2006051958.tif 000004
【図３】
2006051958.tif 000005
【図４】
2006051958.tif 000006
【図５】
2006051958.tif 000007
【図６】
2006051958.tif 000008
【図７】
2006051958.tif 000009
【図８】
2006051958.tif 000010
【図９】
2006051958.tif 000011
【図１０】
2006051958.tif 000012
【図１１】
2006051958.tif 000013
【図１２】
2006051958.tif 000014
【図１３】
2006051958.tif 000015